(57)【要約】      （修正有）【課題】仕掛けを投入する際、天秤の枝に対して、浮きやコマセカゴを反対方向に振り分けて安定した状態で飛ばす事により、絡みを防止すると共に、必要に応じて、天秤本体と浮きを連結した状態に、或いは、分離した状態に使い分ける事が出来る天秤仕掛けを提供する。【解決手段】天秤本体１の下部に、先端を少し上に向けた鈎部１２を設け、その先に中穴８があり。道糸１１が浮き１６の大穴１８通り、上部に在る道糸穴２を通った後中穴８を通り、サルカン１０に結びつけられ、ハリス１７はサルカンの先に結ばれて、枝５の先穴７を通り先に延びる。浮き１６は、浮き端子１４の大穴１８が、道糸穴２部分を通す大きさで、本体１と共に道糸穴２を通して中穴８の鈎部１２に掛かる。竿を立てると、枝５と浮き１６が反対側に保持される。【選択図】図１
0003208405.tif 000002
【実用新案登録請求の範囲】
【請求項１】
上部に道糸穴２を持つ天秤本体１の下部近くに、天秤の枝方向に向き、少し上向きに鈎部１２を設け、その先に道糸１１を通す中穴８を設け。ウキ環１５或いは、ウキ端子１４の大穴１８を設けて、道糸穴２と共に天秤本体１を通して鈎部１２に掛合して、仕掛けが吊り下げられた時及び、投入飛行時に、浮き１６又はコマセカゴが、枝５の反対側向きに保持される浮き用天秤仕掛け。
【請求項２】
枝５の元の部位に、枝１の方を向いて道糸１１を通す中穴８Ａを設け。天秤本体１の下部に鈎部１２を設け、大穴１８が道糸穴２と共に天秤本体１を通して鈎部１２に掛合して、仕仕掛けが吊り下げられた時及び、仕掛けの飛行時に、１６浮き又はコマセカゴが、枝５の反対側向きに保持される、浮き用天秤仕掛け。
【請求項３】
天秤本体１の下端の下穴３上部の平行した部位に、天秤本体１に回転する事無く嵌合するウキ長穴２１を持つヨリトリ１３を設け、これに浮き１６或いはカマセカゴを、枝５の反対側向きに着合保持される、［請求項１］、及び、［請求項２］の浮き用天秤仕掛け。
【考案の詳細な説明】
【実用新案の詳細な説明】
【技術分野】
【０００１】  浮き釣りおいて、仕掛けを絡ませないでより遠くへ投入する釣りに関わるものである。
【背景技術】
【０００２】  浮き釣りに於いては、磯場や岸壁なぞで３０ｍ４０ｍ位の比較的近い範囲での釣が行われて居る。砂浜の投げ釣りが１００ｍ以上も飛ばすのに比較すると数分の１である。
浮き釣りでは、浮きの重みで飛ばす為に、浮き自身が大きくなる，或いは、浮きが遠くなる為，視認性を良くする為に大形に作られる。その為に絡みが起きやすく、投入時には加減する必要があった。
【考案の効果】
【０００３】  天秤の枝１と、浮き１６又はコマセカガとが、本体１に対して反対側向きに保持される事により、ほぼ直角に突出した枝５の長さに従い、ハリスが、ミチイトやコマセカゴおよび浮き１６に対して一定の間隔を保ち、絡む事を、より確実に防止する効果を得るものである。
【図面の簡単な説明】
【０００４】
【図１】  仕掛けを竿に吊り下げた状態の正面図
【図２】  仕掛けの飛行時の状態の正面図。
【図３】  本体１の最下部の下環３の上の部位の、線材が平行した分部に、長穴で着合するヨリトリ１３を設け、これに浮き１６を着設した例を示す正面図。
【図４】  枝５の基部に中穴８Ａを設けた例を示す正面図。
【実施の形態】
【０００５】第１図は、浮き用天秤仕掛けを吊り下げられた状態を示すもので。天秤本体１の下部近くに、少し上を向いて鈎部１２を設け、その先に中穴８が設けられる。
一方、浮き１６連結した浮き端子１４の大穴１８が、天秤上部の道糸穴２を通り、鈎部１２部分を通さない大きさで、鈎部１２に吊り下がり、本体１に対して回転せず、枝５の反対向きに掛合されている。
竿先から来た道糸は、大穴１８を通り、道糸穴２を通り、中穴８を通ってサルカン１０に結ばれ、サルカン１０の他端にはハリス１７が結びつけられていて、ハリス１７は先穴７を通り伸びていく。この状態で仕掛けは投入される。
第２図の様に、枝５はほぼ直角に突出した状態で浮き１６の反対側に保持されて飛行し、道糸１１とハリス１７との間隔が保持される。  浮きは着水時に天秤を離れて、道糸１１上を誘導し、浮き１６は海面に浮き、天秤と仕掛けはタナまで沈む。
【０００６】  第３図は、天秤本体１の下部の下穴３が折り返した平行部２５に、枝５の枝長穴６と、ヨリトリ１３のウキ長穴１４とが，本体１に対して回転する事なく着合し反対側に保持される第二例を示すもので、ヨリトリ１３の先に浮き１６が連結されている。
仕掛け投入時は枝５が第二図と同様にほぼ直角に突出し、サルカン１０が道糸穴２に係った状態で飛行し，天秤本体１と浮き１６が分離しないで海面に浮き、ハリスは道糸と共にタナまで沈行する。
必要に応じて、ヨリトリ１３にコマセカゴを付け替えて使用するこができる。
【０００７】  第四図は、Ｌ型に固定されている天秤に付いてのもので、枝５の基部に中穴Ａを設け、天秤本体１の下部に、枝１の方向で上向きに鈎部１２が設けられた、第三例を示す。
ウキ端子１４の大穴１８が、道糸穴２より天秤本体１に着合し、鈎部１２に掛られた此の状態で仕掛けが投入される。第二図と同様の状態で飛行し、絡みが防止される物である。
鈎部１２を本体下部に設ける必要があるが、枝５の基部を、少し上向の形設する事により、代用して同様の効果を得る事が出来る。
【符号の説明】  １  本体                １０  サルカン          ２２  浮き止め
２  道糸穴              １２  鈎部              ２３  シモリ玉小
３  下環                １３  ヨリトリ          ２４  シモレ玉大
４  リング              １４  ウキ端子          ２５  平行部
５  枝                  １５  ウキ環
６  枝長穴              １６  浮き
７  先穴                １７  ハリス
８  中穴                １８  大穴
９  中通し穴            １９  スナツプ
１１  道糸              ２１  ウキ長穴
【図１】
0003208405.tif 000003
【図２】
0003208405.tif 000004
【図３】
0003208405.tif 000005
【図４】
0003208405.tif 000006
【手続補正書】
【提出日】平成28年10月19日(2016.10.19)
【手続補正１】
【補正対象書類名】実用新案登録請求の範囲
【補正対象項目名】全文
【補正方法】変更
【補正の内容】
【実用新案登録請求の範囲】
【請求項１】
上部に道糸穴２を持つ天秤本体１の下部に、天秤の枝５方向に向き少し上向きに鈎部１２を設け、その先に道糸１１を通す中穴８を設け、浮き１６に固定された道糸１１を通す又は結ぶためのウキ環１５、又はこのウキ環１５に連結したウキ端子１４の端の環部、またはコマセカゴ２７に固定された道糸を通す或いは結ぶためのカゴ環２６を、道糸穴２を通す大きさで天秤本体１の下部の鈎部１２を通さない大きさにした大穴１８を設け、この大穴１８が道糸１１を通したままで道糸穴２を通して天秤本体１の下部の鈎部１２に掛かり、竿を立てて仕掛けが吊り下げられた時、及び、投入して飛行する時に、浮き１６又はコマセカゴ２７が鈎部１２に掛かり、天秤の枝５と反対側向きに掛合する様に設けた天秤仕掛け。
【請求項２】
枝５の元の部位に、枝５先方向に向いた道糸１１を通す中穴８Ａを設け、天秤本体１の下部に枝５方向に向き少し上向き鈎部１２を設け、浮き１６に固定された道糸を通す又は結ぶためのウキ環１５、又はこのウキ環１５に連結したウキ端子１４の端の環部、またはコマセカゴ２７に固定された道糸を通す或いは結ぶためのカゴ環２６を、道糸穴２を通す大きさで天秤本体１の下部の鈎部１２を通さない大きさにした大穴１８を設け、この大穴１８が道糸を通したままで道糸穴２を通して天秤本体１下部の鈎部１２に掛かり、竿を立てて仕掛けが吊り下げられた時、及び、投入して飛行する時に、浮き１６又はコマセカゴ２７が鈎部１２に掛かり、天秤の枝５の反対側向きに掛合する様に設けた天秤仕掛け。
【請求項３】
天秤本体１の端の下環３上部の線材の平行部２５に、天秤本体１に対して回転する事無く嵌合するウキ長穴２１を持つスナツプ付きヨリトリ１３を設け、このスナツプにウキ環１５またカゴ環２６が着合して、浮き１６又はコマセカゴ２７を天秤の枝５の反対側向きに掛合する様に設けた請求項１又は請求項２の天秤仕掛け。
【手続補正２】
【補正対象書類名】明細書
【補正対象項目名】０００４
【補正方法】変更
【補正の内容】
【０００４】
【図１】  仕掛けを竿に吊り下げた状態の正面図。
【図２】  仕掛けの飛行時の状態の正面図。
【図３】  本体１の最下部の下環３の上の部位の線材の平行した部分に、長穴２１で嵌合するヨリトリ１３を設け、これに浮き１６を着設した例を示す正面図。
【図４】  枝５の基部に中穴８Ａを設けた例を示す正面図。
【図５】  天秤本体１の下端の下穴３上部に長穴２１にて嵌合するスナツプ付きヨリトリ１３のスナツプ１３にカゴ環２６を着合しコマセカゴ２７を取り付けた状態を示す正面図。
【手続補正３】
【補正対象書類名】図面
【補正対象項目名】図５
【補正方法】追加
【補正の内容】
【図５】
0003208405.tif 000007